(57)【要約】【課題】通水試験中に試験水が漏れ出すことがなく、しかも、通水試験の前後において試験片の位置が変動しない試験片設置治具を提供する。【解決手段】試験片設置治具１００は、内部に試験片が設置される円筒状の試験片設置部材１０と、試験片設置部材１０の軸方向の一方側に、着脱可能に取り付けられた蓋部材３０と、試験片設置部材１０と蓋部材３０との間に配置されたＯリング２０と、試験片設置部材１０の軸方向の他方側に一体的に設けられた土台部材４０と、土台部材４０が設置されたスタンド部材５０と、土台部材４０と部材５０との相対位置を決める位置決めピン６０とを有し、試験片設置部材１０（少なくとも測定部１１）は、Ｘ線を透過可能で、試験片２００にＸ線を照射した際に発生する白色Ｘ線が透過可能な材料（例えば、アルミニウムまたはアルミニウム合金）によって形成されている。【選択図】図２
2016205886.tif 000002
【特許請求の範囲】
【請求項１】
内部に試験片が設置される円筒状の試験片設置部材と、前記試験片設置部材の軸方向の一方側に、着脱可能に取り付けられた蓋部材と、前記試験片設置部材の軸方向の他方側に一体的に設けられた土台部材とを有し、
前記蓋部材に前記試験片設置部材の内部に連通する蓋通水孔が形成され、かつ、前記土台部材に前記試験片設置部材の内部に連通する土台通水孔が形成され、前記試験片設置部材の内部に通水可能で、
前記試験片設置部材は、前記試験片設置部材の内部に設置された前記試験片に向けて照射されたＸ線および前記Ｘ線の照射によって発生した白色Ｘ線が透過可能なことを特徴とする試験片設置治具。
【請求項２】
前記試験片設置部材と前記蓋部材との間にシール部材が配置され、
前記試験片設置部材は、軸方向の略中央に形成され、前記試験片を収納可能な内径を具備する円筒状の測定部と、前記測定部よりも軸方向の一方側に形成され、前記試験片が通過可能な内空を具備する取り出し部と、前記取り出し部の軸方向の一方側の端面に形成され、前記シール部材が侵入する端面凹溝と、前記取り出し部の外面に形成された雄ネジと、前記測定部よりも軸方向の他方側に形成され、前記試験片が通過不可能な内空を具備する止まり部とを有し、
前記蓋部材は、前記シール部材が当接するシール面と、前記雄ネジに螺合する雌ネジと、前記蓋通水孔に連通し、通水用ホースが水密的に取り付けられる蓋係止部とを有し、
前記土台部材は、前記試験片設置部材の前記止まり部の一部または全部が侵入した土台凹部と、前記土台通水孔に連通し、通水用ホースが水密的に取り付けられる土台係止部と、を有することを特徴とする請求項１記載の試験片設置治具。
【請求項３】
前記土台部材が着脱可能に設置されるスタンド部材を有し、
前記土台部材は、前記測定部の軸心に垂直な土台平面と、前記測定部の軸心と同軸の土台下部とを具備し、
前記スタンド部材は、前記土台平面に接するスタンド設置面と、前記スタンド設置面に形成され、前記土台下部が侵入可能なスタンド凹部とを具備し、
前記土台部材の外面と前記スタンド部材の外面には、両者の軸心回りの位相を合わせるための軸心方向に平行なスリット溝が形成されていることを特徴とする請求項２記載の試験片設置治具。
【請求項４】
少なくとも前記測定部は、アルミニウム材またはアルミニウム合金材によって形成されていることを特徴とする請求項２または３記載の試験片設置治具。
【請求項５】
前記試験片の外面の一部が、前記試験片設置部材の内部に接着剤によって固定されることを特徴とする請求項１乃至４の何れか一項に記載の試験片設置治具。
【発明の詳細な説明】
【技術分野】
【０００１】
本発明は試験片設置治具、特に、試験片を設置したままの通水試験および通水試験の前後におけるＸ線測定を可能にする試験片設置治具に関する。
【背景技術】
【０００２】
従来、地中に設置されたコンクリートの経年劣化の進行（変質状況の変化）を評価するために、発明者等は非破壊で局所の構成鉱物を評価可能な分析法（以下、「非破壊ＣＴ−ＸＲＤ練成観察法」と称す）を開発している。すなわち、コンクリートから採取した試験片について、Ｘ線ＣＴ（Computed Tomography）により内部構造の把握をした後、局所的な関心領域からＸ線回折（ＸＲＤ：X-Ray Diffraction）信号を得る。
【０００３】
そして、非破壊ＣＴ−ＸＲＤ練成観察法は、スリットを用いてＸ線回折信号を検出する領域を制限している。そして、当該領域におけるＸ線回折測定に寄与する結晶粒の数を多くするため、測定中に試験片を回転する発明が開示されている（例えば、非特許文献１参照）。
また、高レベル放射性廃棄物の地層処分場には、セメント系材料の使用が検討されている。そのため、岩盤のセメント化の観察に先駆けて、花崗岩の割れ目部分にセメントグラウトが注入された試験片について、大規模放射光設備（SPring-8）において非破壊ＣＴ−ＸＲＤ練成観察法を用いて、その岩種やセメントグラウトの構成材が観察されている（例えば、非特許文献２参照）。
さらに、非破壊ＣＴ−ＸＲＤ練成観察法を、大規模放射光設備（SPring-8）の白色Ｘ線回折ビームライン（２８Ｂ２）において行い、通水による溶脱後のセメント水和物組織の変質を調べた実験が報告されている。このとき、試験片は、普通ポルトランドセメントのみを結合材として用い、水中養生の後、直径が約５ｍｍで高さが約５ｍｍの円柱形に加工されている。そして、かかる試験片はアルミテープで周囲が覆われ、割裂によって貫通ひび割れが導入され、台座設置用治具にアルミテープによって固定された状態で、１か月間連続して通水されている（例えば、特許文献３参照）。
【先行技術文献】
【非特許文献】
【０００４】
【非特許文献１】梶原、外２名、「非破壊CT-XRD連成法のセメント系材料の鉱物同定技術に関する改良」、第６８回セメント技術大会講演要旨、一般社団法人セメント協会、２０１４年４月30日
【非特許文献２】人見、外２名、「非破壊CT-XRD連成法による花崗岩割れ目部分に注入したグラウトの観察」、第６８回セメント技術大会講演要旨、一般社団法人セメント協会、２０１４年４月３０日
【非特許文献３】原口、外３名、「非破壊CT-XRD連成法によるひび割れを有するコンクリート硬化体の溶脱現象の観察」、第６８回セメント技術大会講演要旨、一般社団法人セメント協会、２０１４年４月３０日
【発明の概要】
【発明が解決しようとする課題】
【０００５】
そして、高レベル放射性廃棄物の地層処分場において、廃棄物周辺の人工バリアや天然バリアの安全性を評価するには、評価対象となる期間が長期（１万年程度）である。このため、様々な物質の変化や挙動を捉える必要がある。このため、大規模放射光設備（SPring-8）において非破壊ＣＴ−ＸＲＤ練成観察法を用い、人工バリアや天然バリアを構成する物質（例えば、コンクリート）から採取した試験片を観察した後、数年あるいは数十年に渡って加速的な環境（腐食させるための通水）に晒した後、再度、大規模放射光設備（SPring-8）において非破壊ＣＴ−ＸＲＤ練成観察法を用いて、当該試験片の変質を観察する。
このとき、特許文献３に報告されているように、試験片にアルミテープを巻き付けて筒状の通水路を形成し、当該筒状の通水路の両端に、それぞれシリコンチューブを連通する。そうすると、試験片の外周とアルミテープとの隙間を試験水（例えば、高ｐＨのアルカリ水）が流れ、試験片の表面は試験水に晒されることになる（本発明において、「通水試験」と称す）。
【０００６】
しかしながら、特許文献３に報告されているような筒状の通水路には以下のような問題があった。
（１）アルミテープ同志の重なり部分あるいはアルミテープとシリコンチューブとの繋ぎ部分に密着していない箇所がある場合には、通水試験中に当該箇所から試験水が漏れ出し、周囲を汚染する。また、試験水を追加する手間が生じ、試験水自体の成分変化（例えば、カルシウムイオン濃度増加等）の観察が困難になる。
（２）アルミテープを巻き付けた筒状の通水路は剛性が低く、容易に変形することから、通水試験の前後において試験片と通水路との位置関係が変動する。このため、通水試験の前に特定した観察位置を通水試験の後に特定する作業が困難になる。あるいは、通水試験の前に特定した観察位置を通水試験の後に特定する作業に時間がかかる。
（３）アルミテープが試験片の全円周に巻き付いた場合には、アルミテープと試験片との間に通水可能な隙間が形成されない。あるいは、隙間が形成されても試験条件を満足する量の通水ができない。
【０００７】
本発明は、かかる問題を解消するものであって、通水試験中に試験水の漏れ出しがなく、しかも、通水試験の前後において試験片と通水路との位置関係の変動がなく、通水可能な試験片設置治具を提供することにある。
【課題を解決するための手段】
【０００８】
本発明に係る試験片設置治具は、内部に試験片が設置される円筒状の試験片設置部材と、前記試験片設置部材の軸方向の一方側に、着脱可能に取り付けられた蓋部材と、前記試験片設置部材の軸方向の他方側に一体的に設けられた土台部材とを有し、
前記蓋部材に前記試験片設置部材の内部に連通する蓋通水孔が形成され、かつ、前記土台部材に前記試験片設置部材の内部に連通する土台通水孔が形成され、前記試験片設置部材の内部に通水可能で、
前記試験片設置部材は、前記試験片設置部材の内部に設置された前記試験片に向けて照射されたＸ線および前記Ｘ線の照射によって発生した白色Ｘ線が透過可能なことを特徴とする。
また、本発明に係る試験片設置治具は、前記試験片設置部材と前記蓋部材との間にシール部材が配置され、
前記試験片設置部材は、軸方向の略中央に形成され、前記試験片を収納可能な内径を具備する円筒状の測定部と、前記測定部よりも軸方向の一方側に形成され、前記試験片が通過可能な内空を具備する取り出し部と、前記取り出し部の軸方向の一方側の端面に形成され、前記シール部材が侵入する端面凹溝と、前記取り出し部の外面に形成された雄ネジと、前記測定部よりも軸方向の他方側に形成され、前記試験片が通過不可能な内空を具備する止まり部とを有し、
前記蓋部材は、前記シール部材が当接するシール面と、前記雄ネジに螺合する雌ネジと、前記蓋通水孔に連通し、通水用ホースが水密的に取り付けられる蓋係止部とを有し、
前記土台部材は、前記試験片設置部材の前記止まり部の一部または全部が侵入した土台凹部と、前記土台通水孔に連通し、通水用ホースが水密的に取り付けられる土台係止部と、を有することを特徴とする。
さらに、本発明に係る試験片設置治具は、前記土台部材が着脱可能に設置されるスタンド部材を有し、
前記土台部材は、前記測定部の軸心に垂直な土台平面と、前記測定部の軸心と同軸の土台下部とを具備し、
前記スタンド部材は、前記土台平面に接するスタンド設置面と、前記スタンド設置面に形成され、前記土台下部が侵入可能なスタンド凹部とを具備し、
前記土台部材の外面と前記スタンド部材の外面には、両者の軸心回りの位相を合わせるための軸心方向に平行なスリット溝が形成されていることを特徴とする。
さらに、本発明に係る試験片設置治具は、少なくとも前記測定部が、アルミニウム材またはアルミニウム合金材によって形成されていることを特徴とする。
さらに、本発明に係る試験片設置治具は、前記試験片の外面の一部が、前記試験片設置部材の内部に接着剤によって固定されることを特徴とする。
【発明の効果】
【０００９】
本発明によれば、通水試験中に試験水が漏れ出すことがなく、試験片と通水路との位置関係を同じに保持したまま（試験片の通水路内における姿勢を変えることなく）、試験片の外面と試験片設置部材の内面との間に通水路が確保されるため、目的とする通水試験が可能になる。また、通水試験の前後における試験片と通水路との位置関係が変動しないから、試験片の局所的な関心領域を特定することが容易になり、当該関心領域を容易に繰り返しＸ線観察することが可能になる。
【図面の簡単な説明】
【００１０】
【図１】本発明の実施の形態に係る試験片設置治具を説明するものであって、全体を示す斜視図である。
【図２】本発明の実施の形態に係る試験片設置治具を説明するものであって、全体を示す縦断面図である。
【図３】本発明の実施の形態に係る試験片設置治具を説明するものであって、構成部材の一部（試験片設置部材）を示す縦断面図である。
【図４】本発明の実施の形態に係る試験片設置治具を説明するものであって、構成部材の一部（蓋部材）を示す縦断面図である。
【図５】本発明の実施の形態に係る試験片設置治具を説明するものであって、構成部材の一部（土台部材）を示す縦断面図である。
【図６】本発明の実施の形態に係る試験片設置治具における試験片の固定手段を説明するものであって、接着による固定を示す一部（試験片設置部材）の縦断面図である。
【図７】本発明の実施の形態に係る試験片設置治具における試験片の固定手段を説明するものであって、機械的把持手段による固定を示す一部（試験片設置部材）の縦断面図である。
【図８】本発明の実施の形態に係る試験片設置治具における試験片の固定手段を説明するものであって、機械的把持手段の一例を示す斜視図である。
【図９】本発明の実施の形態に係る試験片設置治具を説明するものであって、通水試験の状況を模式的に示す側面図である。
【発明を実施するための形態】
【００１１】
次に、本発明に係る実施の形態を、図面を参照して具体的に説明する。なお、以下の図面は模式的に描かれたものであり、本発明は描かれた形態に限定されるものではない。
図１〜図５は、本発明の実施の形態に係る試験片設置治具を説明するものであって、図１は全体を示す斜視図、図２は全体を示す縦断面図、図３は構成部材の一部（試験片設置部材）を示す縦断面図、図４は構成部材の一部（蓋部材）を示す縦断面図、図５は構成部材の一部（土台部材）を示す縦断面図である。
【００１２】
（試験片設置治具）
図１および図２において、試験片設置治具１００は、内部に試験片２００（図６及び図７参照）が設置される円筒状の試験片設置部材１０と、試験片設置部材１０の軸方向の一方側（図１において上側）に、着脱可能に取り付けられた蓋部材３０と、試験片設置部材１０と蓋部材３０との間に配置されたＯリング（シール部材に相当する）２０と、試験片設置部材１０の軸方向の他方側（図１において下側）に一体的に設けられた土台部材４０と、土台部材４０が設置されたスタンド部材５０と、土台部材４０とスタンド部材５０との相対位置を決める位置決めピン６０とを有している。なお、スタンド部材５０を有しない場合がある。以下、構成部材のそれぞれについて説明した後、構成部材が組み立てられた全体について説明する。
【００１３】
（試験片設置部材）
図３において、試験片設置部材１０は、軸方向の略中央に形成され、図示しない試験片２００（図６及び図７参照）を収納可能な内径を具備する円筒状の測定部１１と、測定部１１よりも軸方向の一方側（図２において上側）に形成され、図示しない試験片２００が通過可能な内径を具備する円筒状の取り出し部１２と、測定部１１よりも軸方向の他方側（図２において下側）に形成され、図示しない試験片２００が通過不可能な内径を具備する円筒状の止まり部１３とを有している。
そして、取り出し部１２の軸方向の一方側の端面には、Ｏリング２０が侵入可能な端面凹溝１２ａが形成され、取り出し部１２の外面には雄ネジ（正確には、管ネジ）１２ｂが形成されている。また、円筒状の止まり部１３の内径は測定部１１の内径よりも小さいため、止まり部１３の内面と測定部１１の内面との間には、段差部１３ａが形成されている。
【００１４】
そして、試験片設置部材１０（少なくとも測定部１１）は、Ｘ線が透過可能で、図示しない試験片２００にＸ線を照射した際に発生する白色Ｘ線が透過可能な材料、例えば、「アルミニウムまたはアルミニウム合金」、あるいは、Ｘ線を吸収しにくく、熱に強い「低吸収ガラス」によって形成されている。
なお、以上は、試験片設置部材１０が、測定部１１と取り出し部１２と止まり部１３とが一体に形成されたものを示しているが、本発明はこれに限定するものではなく、それぞれ別個に製造された部材を、組み合わせたものであってもよい。このとき、少なくとも測定部１１は、Ｘ線および白色Ｘ線が透過可能な材料によって形成することになる。
また、以上は、測定部１１、取り出し部１２および止まり部１３が、何れも円筒状であるものを示しているが、本発明はこれに限定するものではなく、取り出し部１２および止まり部１３は円筒状でなくてもよい。さらに、取り出し部１２が円筒状の場合でも、測定部１１の内径と取り出し部１２の内径とが相違してもよい。また、止まり部１３が円筒状の場合でも、測定部１１の外径と止まり部１３の外径とが相違してもよい。
【００１５】
（蓋部材）
図４において、蓋部材３０は、蓋円筒部３１と、蓋円筒部３１の一方の端部（図３において上端部）に一体的に設けられた蓋天井部３２と、蓋天井部３２の蓋円筒部３１とは反対の面（以下、「蓋天井外面」と称す）３２ａに設けられ、管状の通水用ホースを取り付けるための管状の蓋係止部３３とを有している。
そして、蓋円筒部３１の内周には、取り出し部１２の雄ネジ１２ｂに螺合する雌ネジ３１ａが形成され、蓋天井部３２の蓋円筒部３１側の面（以下、「蓋天井内面」と称す）３２ｂは、Ｏリング２０が当接するシール面として機能している。
また、蓋天井部３２には、蓋係止部３３の内側に連通する貫通孔（以下、「蓋通水孔」と称す）３２ｃが形成され、蓋通水孔３２ｃは蓋円筒部３１の内面に連通し、通水路を形成している。
なお、蓋係止部３３は、通水用ホース（図示しない）の内部に挿入され、蓋係止部３３の外面と図示しない通水用ホース９０（図９参照）の内面とが水密的に接するものであるが、本発明はこれに限定するものではなく、蓋係止部３３の内部に、通水用ホース９０が挿入され、蓋係止部３３の内面と通水用ホース９０の外面とが水密的に接するようにしてもよい。
【００１６】
（土台部材）
図５において、土台部材４０は、円筒状の土台下部４１と、土台下部４１の外径よりも大きな外径を具備する円筒状の土台上部４２とを有している。
そして、土台下部４１の内面は、土台上部４２から離れた範囲が、図示しない通水用ホースが水密的に取り付けられる土台係止部４１ａとして、土台上部４２に近い範囲が、通水用ホースに連通する土台通水孔４１ｂとして機能している。なお、土台係止部４１ａと土台通水孔４１ｂとの境界は明確でなく、通水用ホースが広い範囲に（深く）に挿入された場合には、土台通水孔４１ｂは狭くなり、あるいは、なくなる。
【００１７】
また、土台上部４２の土台下部４１とは反対の面（図４において上側の面、以下、「土台上面」と称す）４２ａには、試験片設置部材１０の止まり部１３の一部が侵入する断面円形の土台凹部４２ｂが形成されている。さらに、土台上部４２の土台下部４１側の面（図４において下側の面、以下、「土台平面」と称す）４２ｃに到達し、スタンド部材５０との位置決めのための位置決めピン６０を設置するための土台位置決め孔４２ｄが形成されている。このとき、土台凹部４２ｂの軸心および土台位置決め孔４２ｄの軸心は、土台平面４２ｃに垂直になっている。
また、土台上部４２の外面の土台平面４２ｃに近い位置に、スタンド部材５０との円周方向の位相を合わせるための目印として、軸心方向に平行な土台部材スリット溝４２ｅが形成されている。なお、土台位置決め孔４２ｄは複数であって、同一円周上に等角配置されているが、本発明はこれに限定するものではなく、同一円周上に等角配置されなくてもよい。このとき、土台部材スリット溝４２ｅを撤去してもよい。
なお、以上は、土台係止部４１ａに、通水用ホース９０が挿入され、土台係止部４１ａの内面と通水用ホース９０の外面とが水密的に接するものであるが、本発明はこれに限定するものではなく、土台係止部４１ａを突出させて通水用ホース９０に挿入し、土台係止部４１ａの外面と通水用ホース９０の内面とが水密的に接するようにしてもよい。
【００１８】
（スタンド部材）
図１および図２において、スタンド部材５０は、円盤状のスタンド鍔部５１と、スタンド鍔部５１に一体的に設けられたスタンド筒部５２とを有している。
スタンド筒部５２のスタンド鍔部５１とは反対の平面（図1において上側の面、以下、「スタンド設置面」と称す）５２ａには、土台部材４０の土台下部４１が侵入可能な断面円形の凹部（以下、「スタンド凹部」と称す）５２ｂと、土台部材４０との位置決めのための位置決めピン６０を設置するためのスタンド位置決め孔５２ｃとが形成されている。
【００１９】
このとき、スタンド凹部５２ｂの軸心およびスタンド位置決め孔５２ｃの軸心とは、スタンド設置面５２ａに垂直で、スタンド設置面５２ａは、スタンド鍔部５１のスタンド筒部５２とは反対の平面（図1において下側の面、以下、「スタンド基準面」と称す５１ａと平行になっている。
さらに、スタンド筒部５２の外面のスタンド設置面５２ａに近い位置に、土台部材４０の土台部材スリット溝４２ｅに直線状に並ばせるための、軸心方向に平行なスタンドスリット溝５２ｄが形成されている。なお、土台部材スリット溝４２ｅが撤去された場合は、スタンドスリット溝５２ｄも撤去される。
さらに、収納された試験片２００を検査するためのＸ線装置の試料台の形態によっては、スタンド部材５０が不要になる。
【００２０】
（位置決めピン）
図２において、位置決めピン６０は、土台部材４０の土台位置決め孔４２ｄに嵌着する径大部６４と、スタンド部材５０のスタンド位置決め孔５２ｃに嵌着する径小部６５とを具備する段付き円柱である。なお、本発明はこれに限定するものではなく、土台位置決め孔４２ｄとスタンド位置決め孔５２ｃとの内径を同じにして、位置決めピン６０を円柱にしてもよい。
【００２１】
（固定手段）
図６〜図８は、本発明の実施の形態に係る試験片設置治具における試験片の固定手段を説明するものであって、図６は接着による固定を示す一部（試験片設置部材）の縦断面図、図７は機械的把持手段による固定を示す一部（試験片設置部材）の縦断面図、図８は機械的把持手段の一例を示す斜視図である。
図６において、試験片２００の一部が測定部１１の内面に接着剤７０によって固定され、試験片２００は移動不可能になっている。なお、接着剤７０は、例えば、耐熱性を具備する樹脂（例えば、エポキシ）であるが、限定するものではない。また、接着剤７０は、複数箇所に塗布しても、段差部１３ａに塗布してもよい。
図７において、測定部１１の内面に接着剤７０によって機械的把持手段８０が固定され、試験片２００は機械的把持手段８０によって移動不可能に把持されている（試験片２００および機械的把持手段８０は断面ではなく、側面視の外観を図示している）。なお、機械的把持手段８０の数量や配置（複数の場合の間隔）は限定されない。また、接着剤７０に代えて、測定部１１の内面との摩擦力（機械的把持手段８０の弾性復元力）によって機械的把持手段８０を固定してもよい。
図８において、機械的把持手段８０は、可撓性を具備する円盤８１であって、中央に矩形状の開口部８２が形成され、開口部８２の隅部からは放射状の切り込み部８３が形成されている。したがって、開口部８２に試験片２００が挿入されると、開口部８２の周縁は変形して、試験片２００を移動不可能に把持することになる。なお、開口部８２や切り込み部８３の形状は限定するものではなく、例えば、開口部８２を多角形にしたり、開口部８２の中心に向かって突出する突起を設けたりしてもよい。
【００２２】
（Ｘ線検査）
図１および図２に示す試験片設置治具１００において、図示しない試験片２００は、試験片設置部材１０内に収納され、移動不可能に固定されている（図６または図７参照）。
そして、試験片設置部材１０は土台部材４０に一体的に設置され、土台部材４０は、位置決めピン６０によって位置決めされ、土台部材スリット溝４２ｅおよびスタンドスリット溝５２ｄによって位相が合された状態で、スタンド部材５０に設置されている。なお、土台部材４０は、土台上部４２を貫通するボルト用孔を貫通したボルトが、スタンド設置面５２ａに形成されたボルト用ネジ穴に螺合することによって、離脱不可能になっているが、慣用技術であるため、図示しない。
【００２３】
このとき、構成部材のそれぞれは前記構成であるから、試験片設置部材１０の測定部１１は、スタンド部材５０のスタンド基準面５１ａに垂直になっている。このため、スタンド部材５０をＸ線検査装置（例えば、大規模放射光設備（SPring-8）等））の試料台（図示しない）に載置して、試料台の回転中心と測定部１１の軸心とを一致させて、試料台を回転させれば、測定部１１は、軸心が振れる（胡麻擂り運動をする）ことなく回転（自転）することになる。また、試験片２００の局所的な関心領域を試料台の回転中心に一致させて、試料台を回転させれば、当該領域は試料台の回転中心から振れる（公転する）ことなく回転（自転）することになる。
すなわち、試験片２００内の局所的な関心領域に対して、測定部１１の軸心に垂直な面内で、関心領域の全ての放射方向（試料台の回転軸からの全放射方向）から正確にＸ線を照射することが可能になる。したがって、特に、大規模放射光設備（SPring-8）において非破壊ＣＴ−ＸＲＤ練成観察法を実施する際等に、好適な試験片設置治具として威力を発揮する。このとき、測定部１１は円筒であるから、Ｘ線（照射されたＸ線および照射によって発生した白色Ｘ線）の透過する厚さが均一になる。
なお、前記のように、測定部１１の形態は限定されるものではないが、例えば、測定部１１を、内径５ｍｍ、高さ６ｍｍ、厚さ０．５ｍｍ以下（例えば、０．２〜０．４ｍｍ程度）のアルミ合金（例えば、Ａ５０５６）製の円筒にして、試験片２００を一辺が略２．７ｍｍの角柱状にすればよい。このとき、測定部１１の厚さを０．１ｍｍ以下にすると、剛性が低くなり、容易に変形する。また、測定部１１の厚さを０．５ｍｍ超えにすると、Ｘ線が透過し難くなる。
【００２４】
（通水試験）
図９は、本発明の実施の形態に係る試験片設置治具を説明するものであって、通水試験の状況を模式的に示す側面図である。
図９において、図示しない試験片２００は試験片設置部材１０（正確には測定部１１）に移動不可能に設置され、接着剤７０が塗布された部分を除いて、試験片２００と測定部１１の内面との間には隙間が形成されている（図６参照）。そして、蓋部材３０の蓋係止部３３に、通水用ホース９０の一方の端部９３が水密的に接続されている。
また、土台部材４０は、スタンド部材５０から取り外され、土台係止部４１ａに、通水用ホース９０の他方の端部９４が水密的に接続されている。
そして、通水用ホース９０には、図示しないポンプが設置され、試験水は、試験片２００の外面と測定部１１の内面との間に形成された隙間を通過して循環している。
【００２５】
このとき、試験片設置部材１０には、Ｏリング２０を介して蓋部材３０が設置されている（図２参照）から、試験片設置治具１００から、試験水が漏れ出すことがない。このため、周囲を汚染することなく、試験水を追加する手間が生じることなく、試験水自体の成分変化（例えば、カルシウムイオン濃度増加等）の長期に渡る観察が可能になる。
さらに、試験片設置治具１００（特に、測定部１１）は、所定の剛性を有し、試験片２００が移動不可能に設置されるものであるから、長期間の通水によって、試験片２００の姿勢（位置）が変動することがない。したがって、通水試験によって、試験片２００の性状の変化を調べようとする際、通水試験前に特定した試験片２００内の局所的な関心領域を、通水試験後に、再度特定（検出）することが容易になる。
したがって、試験片設置部材１０は、この点からも、特に、大規模放射光設備（SPring-8）において非破壊ＣＴ−ＸＲＤ練成観察法を実施する際等に、好適な試験片設置治具の構成部材として威力を発揮する。
【００２６】
本発明を、実施の形態をもとに説明したが、この実施の形態は例示であり、それらの各構成要素の組み合わせ等にいろいろな変形例が可能なこと、またそうした変形例も本発明の範囲にあることは当業者に理解されるところである。
【産業上の利用可能性】
【００２７】
以上のように、本発明に係る試験片設置治具は、通水試験の前後においてＸ線検査を実施する場合に好適であるだけでなく、長期間に渡って通水試験を実施する際に、その途中経過を適宜検査する場合にも好適である。さらに、大きさや材質等の選定に公知の技術を適用することによって、通水試験に限定されることなく、各種環境に暴露される試験や、Ｘ線試験に限定されない検査にも、広く利用可能である。
【符号の説明】
【００２８】
１０  ：試験片設置部材
１１  ：測定部
１２  ：取り出し部
１２ａ：端面凹溝
１２ｂ：雄ネジ
１３  ：止まり部
１３ａ：段差部
２０  ：Ｏリング
３０  ：蓋部材
３１  ：蓋円筒部
３１ａ：雌ネジ
３２  ：蓋天井部
３２ａ：蓋天井外面
３２ｂ：蓋天井内（シール面）
３２ｃ：蓋通水孔
３３  ：蓋係止部
４０  ：土台部材
４１  ：土台下部
４１ａ：土台係止部
４１ｂ：土台通水孔
４２  ：土台上部
４２ａ：土台上面
４２ｂ：土台凹部
４２ｃ：土台平面
４２ｄ：土台位置決め孔
４２ｅ：土台部材スリット溝
５０  ：スタンド部材
５１  ：スタンド鍔部
５１ａ：スタンド基準面
５２  ：スタンド筒部
５２ａ：スタンド設置面
５２ｂ：スタンド凹部
５２ｃ：スタンド位置決め孔
５２ｄ：スタンドスリット溝
６０  ：位置決めピン
６４  ：径大部
６５  ：径小部
７０  ：接着剤
８０  ：機械的把持手段
８１  ：円盤
８２  ：開口部
８３  ：切り込み部
９０  ：通水用ホース
９３  ：端部
９４  ：端部
１００：試験片設置治具
２００：試験片
【図１】
2016205886.tif 000003
【図２】
2016205886.tif 000004
【図３】
2016205886.tif 000005
【図４】
2016205886.tif 000006
【図５】
2016205886.tif 000007
【図６】
2016205886.tif 000008
【図７】
2016205886.tif 000009
【図８】
2016205886.tif 000010
【図９】
2016205886.tif 000011